(57)【要約】【課題】使用が長期にわたった場合にもデッキ本体の下方に水が漏出する事態を防止する。【解決手段】デッキ本体１０と溝カバー２０とを係止させることにより、デッキ本体１０に溝カバー２０が装着されるデッキ材において、溝カバー２０はデッキ本体１０に装着した場合に溝１００の両側壁部に向けて漸次傾斜するように上方に突出し、先端縁部がそれぞれ溝１００の側壁部に押圧される当接ヒレ部２５を有したものであり、デッキ本体１０は溝１００の両側壁部にそれぞれ支持面１１２ａを有したものであり、支持面１１２ａは溝カバー２０をデッキ本体１０に装着した場合に当接ヒレ部２５よりも下方に配置され、かつ当接ヒレ部２５の先端縁部に向かうに従って当接ヒレ部２５の下面に近接するように傾斜するものであり、当接ヒレ部２５が下方に撓んだ場合に当接ヒレ部２５が当接する。【選択図】図１
2015063818.tif 000002
【特許請求の範囲】
【請求項１】
上面に開口する溝を有したデッキ本体と、前記デッキ本体の溝に配置される溝カバーとを備え、前記デッキ本体と前記溝カバーとを係止させることにより、前記デッキ本体に前記溝カバーが装着されるデッキ材において、
前記溝カバーは、前記デッキ本体に装着した場合に、前記溝の両側壁部に向けて漸次傾斜するように上方に突出し、先端縁部がそれぞれ前記溝の側壁部に押圧される当接ヒレ部を有し、
前記デッキ本体は、前記溝の両側壁部にそれぞれ支持面を有したものであり、
前記支持面は、前記溝カバーを前記デッキ本体に装着した場合に前記当接ヒレ部よりも下方に配置され、かつ前記当接ヒレ部の先端縁部に向かうに従って前記当接ヒレ部の下面に近接するように傾斜するものであり、前記当接ヒレ部が下方に撓んだ場合に前記当接ヒレ部が当接することを特徴とするデッキ材。
【請求項２】
前記溝の両側壁部には、前記溝の開口縁部に互いに近接する方向に向けてガイドヒレ部を突設し、前記溝カバーを前記デッキ本体に装着した場合に、前記ガイドヒレ部の上面を前記溝カバーに設けた上面カバー部の両側縁部によって覆うことを特徴とする請求項１に記載のデッキ材。
【請求項３】
前記ガイドヒレ部には、それぞれの突出縁部の下面に下方に向けて突出する垂下部を設けたことを特徴とする請求項２に記載のデッキ材。
【請求項４】
前記当接ヒレ部は、前記上面カバー部よりも軟質の部材によって成形したことを特徴とする請求項１に記載のデッキ材。
【請求項５】
前記溝カバーは、前記上面カバー部の下面から下方に突出した連結板部と、前記連結板部の下端部から前記溝の両側壁部に向けて突出した基板部と、前記基板部の両側縁部からそれぞれ下方に向けて突出した係止脚部とを有し、前記係止脚部を前記溝の両側壁部に係止させることによって前記デッキ本体に装着されるものであり、前記基板部の両側縁部に前記係止脚部と分岐するように前記当接ヒレ部を配設し、前記当接ヒレ部と前記連結板部との間に樋部を構成したことを特徴とする請求項１に記載のデッキ材。
【発明の詳細な説明】
【技術分野】
【０００１】
本発明は、バルコニー等のように室外に設けられるスペースの床面を構成する場合に用いられるデッキ材に関するものである。
【背景技術】
【０００２】
バルコニー等のような室外スペースの床面としては、樹脂によって成形したデッキ材が多く用いられている。デッキ材は、長尺の中空板状に構成したデッキ本体を備えている。デッキ本体は、一方の側縁にフック部を有するとともに、他方の側縁にフック受部を有しており、フック部をフック受部に係合させることによって互いに接続した状態で並設することが可能である。デッキ部材のデッキ本体には、その長手方向に沿って溝が設けてある。溝は、デッキ本体の上面及び両端面に開口するもので、短手方向のほぼ中央となる部位に形成してある。溝の底壁部には、その中央部分に厚肉部が設けられている。
【０００３】
この種のデッキ本体を敷設する場合には、溝の底壁部に形成した厚肉部を介して根太等の下地にネジ部材が螺合される。さらに、デッキ本体の溝には、溝カバーが装着される。溝カバーは、デッキ本体の溝に配置された場合に溝の開口を塞ぐ上面カバーと、デッキ本体の溝に配置された場合に溝の両側壁部に係止される係止脚部とを備えたものである。上記のように構成したデッキ材では、デッキ本体の溝が溝カバーによって覆われることになるため、溝にゴミや埃が進入して滞留するのを防止することができるようになる（例えば、特許文献１参照）。
【０００４】
また、この種のデッキ材では、溝カバーに弾性を有した当接ヒレ部を形成し、デッキ本体の溝に配置された場合に当接ヒレ部を溝の両側壁部に押圧させることにより、溝への水の浸入を防止するようにしたものも提供されている。このデッキ材によれば、溝カバーに設けた当接ヒレ部が溝の両側壁部に押圧されている限り水密性が確保されることになり、雨水等の水が溝の底壁部上面に浸入する恐れがなくなる。従って、ネジ部材が貫通した溝の底壁部を通過して水がデッキ本体の下方に漏出する事態を防止することが可能となる（例えば、特許文献２参照）。
【先行技術文献】
【特許文献】
【０００５】
【特許文献１】実願昭５４−１８５１５２号のマイクロフィルム
【特許文献２】実願昭５４−７２７６０号のマイクロフィルム
【発明の概要】
【発明が解決しようとする課題】
【０００６】
しかしながら、特許文献２のデッキ材においても、当接ヒレ部に経年劣化が生じた場合、当接ヒレ部の先端縁部が下方に撓むように変形し、側壁部との間に隙間を生じる恐れがある。この結果、使用が長期にわたった場合には溝の底壁部に到達した雨水等の水が、ネジ部材が貫通した孔を伝ってデッキ本体の下方に漏出する恐れがある。
【０００７】
本発明は、上記実情に鑑みて、使用が長期にわたった場合にもデッキ本体の下方に雨水等の水が漏出する事態を防止することのできるデッキ材を提供することを目的とする。
【課題を解決するための手段】
【０００８】
上記目的を達成するため、本発明に係るデッキ材は、上面に開口する溝を有したデッキ本体と、前記デッキ本体の溝に配置される溝カバーとを備え、前記デッキ本体と前記溝カバーとを係止させることにより、前記デッキ本体に前記溝カバーが装着されるデッキ材において、前記溝カバーは、前記デッキ本体に装着した場合に、前記溝の両側壁部に向けて漸次傾斜するように上方に突出し、先端縁部がそれぞれ前記溝の側壁部に押圧される当接ヒレ部を有し、前記デッキ本体は、前記溝の両側壁部にそれぞれ支持面を有したものであり、前記支持面は、前記溝カバーを前記デッキ本体に装着した場合に前記当接ヒレ部よりも下方に配置され、かつ前記当接ヒレ部の先端縁部に向かうに従って前記当接ヒレ部の下面に近接するように傾斜するものであり、前記当接ヒレ部が下方に撓んだ場合に前記当接ヒレ部が当接することを特徴とする。
【０００９】
この発明によれば、当接ヒレ部が経年劣化によって撓んだ場合にも側壁部の支持面に当接して支持されるため、当接ヒレ部の先端縁部が下方に撓むことによって水密性が損なわれる恐れがない。しかも、支持面の先端が当接ヒレ部の下面に漸次近接するように傾斜しているため、当接ヒレ部の先端部側で支持面に当接されることになり、支持面に当接された当接ヒレ部の先端部が側壁部から離隔する恐れがない。
【００１０】
また、本発明は、上述したデッキ材において、前記溝の両側壁部には、前記溝の開口縁部に互いに近接する方向に向けてガイドヒレ部を突設し、前記溝カバーを前記デッキ本体に装着した場合に、前記ガイドヒレ部の上面を前記溝カバーに設けた上面カバー部の両側縁部によって覆うことを特徴とする。
【００１１】
この発明によれば、デッキ本体の上面を伝った雨水等の水が溝に浸入する際にガイドヒレ部によって当接ヒレ部の基端部側に案内され、当接ヒレ部と側壁部との当接部に直接滴下する事態が防止される。
【００１２】
また、本発明は、上述したデッキ材において、前記ガイドヒレ部には、それぞれの突出縁部の下面に下方に向けて突出する垂下部を設けたことを特徴とする。
【００１３】
この発明によれば、ガイドヒレ部を伝った水が垂下部で下方に滴下されることになり、ガイドヒレ部の下面に回り込む恐れがなくなる。
【００１４】
また、本発明は、上述したデッキ材において、前記当接ヒレ部は、前記上面カバー部よりも軟質の部材によって成形したことを特徴とする。
【００１５】
この発明によれば、当接ヒレ部が弾性変形することにより、側壁部に当接した場合の接触面積を増大させることができる。
【００１６】
また、本発明は、上述したデッキ材において、前記溝カバーは、前記上面カバー部の下面から下方に突出した連結板部と、前記連結板部の下端部から前記溝の両側壁部に向けて突出した基板部と、前記基板部の両側縁部からそれぞれ下方に向けて突出した係止脚部とを有し、前記係止脚部を前記溝の両側壁部に係止させることによって前記デッキ本体に装着されるものであり、前記基板部の両側縁部に前記係止脚部と分岐するように前記当接ヒレ部を配設し、前記当接ヒレ部と前記連結板部との間に樋部を構成したことを特徴とする。
【００１７】
この発明によれば、デッキ本体の溝に浸入した雨水等の水は、溝カバーの当接ヒレ部と連結板部との間に構成される樋部によって受け止められて溝から排水される。
【発明の効果】
【００１８】
本発明によれば、当接ヒレ部が経年劣化によって撓んだ場合にも側壁部の支持面に当接して支持されるため、当接ヒレ部の先端縁部が下方に撓むことによって水密性が損なわれる恐れがない。従って、使用が長期にわたった場合にもデッキ本体の下方に雨水等の水が漏出する事態を防止することが可能となる。しかも、支持面の先端が当接ヒレ部の下面に漸次近接するように傾斜しているため、当接ヒレ部の先端部側で支持面に当接されることになり、支持面に当接された当接ヒレ部の先端部が側壁部から離隔する恐れがない。
【図面の簡単な説明】
【００１９】
【図１】図１は、本発明の実施の形態であるデッキ材の要部を示した図である。
【図２】図２は、図１に示したデッキ材の分解斜視図である。
【図３】図３は、図１に示したデッキ材に適用する溝カバーの図である。
【図４】図４は、図１に示したデッキ材に適用するデッキ本体の図である。
【発明を実施するための形態】
【００２０】
以下、添付図面を参照しながら本発明に係るデッキ材の好適な実施の形態について詳細に説明する。尚、以下においては便宜上、床面を構成した場合のデッキ材の姿勢を基準として上下を特定している。
【００２１】
図１は、本発明の実施の形態であるデッキ材を示したものである。ここで例示するデッキ材は、バルコニー等のように室外に設けられるスペースの床面を構成する場合に用いられるもので、デッキ本体１０及び溝カバー２０を備えている。
【００２２】
デッキ本体１０は、比較的硬質の合成樹脂、例えば硬質ＰＶＣ（ポリ塩化ビニル）によって成形した押し出し形材であり、長尺の中空板状に構成してある。より具体的に説明すると、デッキ本体１０は、図１及び図２に示すように、長手方向に直交する断面で見た場合、底壁部１１と上壁部１２との間を複数の仕切壁部１３によって連結した形状を成し、底壁部１１及び上壁部１２の間に複数の独立した中空部１４を有している。底壁部１１、上壁部１２及び仕切壁部１３は、それぞれ薄板状を成すものである。デッキ本体１０の一側縁部では、上壁部１２が底壁部１１を超えて突出し、さらに上壁部１２の突出縁部が下方に向けて略直角に屈曲することによりフック部１５を構成している。デッキ本体１０の他側縁部では、底壁部１１が上壁部１２を超えて突出し、さらに底壁部１１の突出縁部が上方に向けて略直角に屈曲することによりフック受部１６を構成している。これらフック部１５及びフック受部１６を有したデッキ本体１０は、同じ向きで並べた場合にフック部１５をフック受部１６に進入させることが可能である。
【００２３】
図２〜図４に示すように、デッキ本体１０には、溝１００が設けてある。溝１００は、底壁部１１及び左右の側壁部１１０によって囲まれた上方が開口するものであり、長手方向の全長に渡って形成してある。溝１００の底壁部１１には、その中央部分に厚肉部１１ａが設けてある。溝１００の側壁部１１０は、それぞれ上部側壁部分１１１、傾斜側壁部分１１２、下部側壁部分１１３及び係止側壁部分１１４を有している。
【００２４】
上部側壁部分１１１は、上壁部１２から下方に向けてほぼ鉛直に延在するものである。上部側壁部分１１１には、ガイドヒレ部１１５が設けてある。ガイドヒレ部１１５は、上部側壁部分１１１において溝１００の開口縁部となる部位から互いに近接する方向に向けてほぼ水平に突出した薄板状を成すものである。ガイドヒレ部１１５の上面は、上壁部１２の上面よりも低い位置となるように設定してある。ガイドヒレ部１１５には、それぞれの突出縁部に垂下部１１６が設けてある。垂下部１１６は、ガイドヒレ部１１５の下面から下方に向けて突出するように形成してある。傾斜側壁部分１１２は、上部側壁部分１１１の下端部から下方に向けて漸次互いに近接する方向に傾斜するように延在したものである。それぞれの傾斜側壁部分１１２は、ほぼ４５°の傾斜角度を有するように形成してあり、溝１００の内部に臨む部分が平坦な支持面１１２ａを構成している。下部側壁部分１１３は、傾斜側壁部分１１２の下端部から下方に向けてほぼ鉛直に延在するものである。係止側壁部分１１４は、下部側壁部分１１３の下端部から互いに離反する方向に向けて延在した後、下方に向けて漸次互いに近接する方向に傾斜するように延在して底壁部１１に至るものであり、下部側壁部分１１３の下端部に係止面１１４ａを構成している。
【００２５】
溝カバー２０は、デッキ本体１０の溝１００に対してその全長に配置されるもので、図３に示すように、上面カバー部２１、連結板部２２、基板部２３、係止脚部２４を有している。上面カバー部２１は、ガイドヒレ部１１５の上面の間に配置することのできる寸法を有した板状を成すものである。上面カバー部２１の板厚は、ガイドヒレ部１１５の上面から上壁部１２の上面までの段差よりも小さい寸法に設定してある。連結板部２２は、上面カバー部２１の下面から下方に向けて突出した一対の平板状を成すものである。基板部２３は、上面カバー部２１と略平行となる状態で連結板部２２の下端部に連結した板状を成すものである。この基板部２３は、連結板部２２の相互間隔よりも大きく、かつ下部側壁部分１１３の相互間隔よりもわずかに小さい寸法を有した板状を成すものであり、両側縁部がそれぞれ連結板部２２から側方に向けて突出している。係止脚部２４は、基板部２３の両側縁部から下方に向けて漸次互いにわずかずつ離隔する方向に傾斜した拡開部分２４ａと、拡開部分２４ａの下端部から互いに近接する方向に向けて屈曲するように延在した係止片部分２４ｂとを有したものである。拡開部分２４ａと係止片部分２４ｂとの屈曲部には、外方に向けて突出する係止突条部分２４ｃが設けてある。
【００２６】
ここで、溝カバー２０の係止脚部２４は、外力を加えてない場合、図３及び図４に示すように、拡開部分２４ａの最大拡開寸法ａがデッキ本体１０に設けた下部側壁部分１１３の相互間隔ｂよりも大きくなるように構成してある。係止脚部２４を弾性的に撓ませれば、拡開部分２４ａの拡開寸法を下部側壁部分１１３の相互間隔ｂよりも小さくすることが可能であり、係止脚部２４の係止突条部分２４ｃを下部側壁部分１１３の係止面１１４ａに当接させることができる。係止片部分２４ｂの寸法は、図１に示すように、係止脚部２４の係止突条部分２４ｃを下部側壁部分１１３の係止面１１４ａに当接させた場合にその下端部がデッキ本体１０の底壁部１１から離隔した状態となるように設定してある。
【００２７】
また、溝カバー２０の高さ方向の寸法は、係止脚部２４の係止突条部分２４ｃをそれぞれ下部側壁部分１１３の係止面１１４ａに当接させた場合に上面カバー部２１の上面がデッキ本体１０の上面と略一致し、かつ基板部２３が下部側壁部分１１３の上端よりも上方に位置するように設定してある。
【００２８】
一方、溝カバー２０には、図３に示すように、基板部２３の両側縁部にそれぞれ当接ヒレ部２５が設けてある。当接ヒレ部２５は、基板部２３から互いに離反する方向に向けて漸次傾斜するように上方に延在したもので、連結板部２２の両側にそれぞれ樋部２６を構成している。当接ヒレ部２５の水平面からの傾斜角度は、外力を加えていない場合、傾斜側壁部分１１２よりもわずかに小さくなるように設定してある。また，図３及び図４に示すように、当接ヒレ部２５の最大拡開寸法ｃは、上部側壁部分１１１の相互間隔ｄよりも大きくなるように設定してある。
【００２９】
この溝カバー２０は、デッキ本体１０と同様、合成樹脂によって成形した押し出し形材である。但し、本実施の形態の溝カバー２０は、上面カバー部２１、連結板部２２、基板部２３、係止脚部２４が比較的硬質の合成樹脂、例えば硬質ＰＶＣ（ポリ塩化ビニル）によって成形してあるのに対し、当接ヒレ部２５が比較的軟質の合成樹脂、例えば軟質ＰＶＣ（ポリ塩化ビニル）によって成形した複合材構成となっている。
【００３０】
上記のようにデッキ本体１０及び溝カバー２０を構成したデッキ材は、溝１００を開放した状態でデッキ本体１０を根太等の下地の上方に配置し、溝１００の底壁部１１に形成した厚肉部１１ａを介して下地にネジ部材Ｂを螺合することによって敷設される。デッキ本体１０のフック部１５をフック受部１６に進入させながら複数のデッキ本体１０を並設すれば、バルコニーの床面を構成することができる。図には明示していないが、ネジ部材Ｂの頭部と溝１００の底壁部１１との間には、シール材を介在させることが好ましい。
【００３１】
次いで、それぞれのデッキ本体１０の溝１００に対して溝カバー２０を装着する。具体的には、デッキ本体１０の溝１００に溝カバー２０を配置した状態で上方から溝カバー２０を押し込むと、係止脚部２４が側壁部１１０の支持面１１２ａを案内されて互いに近接する方向に弾性的に撓むことになる。やがて、係止脚部２４の拡開寸法が下部側壁部分１１３の相互間隔よりも小さくなった時点で係止突条部分２４ｃが下部側壁部分１１３の相互間を通過し、下部側壁部分１１３の係止面１１４ａに当接されるため、溝カバー２０の溝１００から脱落する方向への移動が規制された状態となる。この状態においては、図１に示すように、上面カバー部２１が溝１００の開口を塞いだ状態となる。従って、溝１００にゴミや埃が進入して滞留する事態を防止することができるようになる。
【００３２】
一方、溝カバー２０の当接ヒレ部２５は、弾性変形することによってガイドヒレ部１１５の相互間を通過し、それぞれの先端縁部が上部側壁部分１１１に押圧された状態となる。この状態においては、溝１００の内部に雨水等の水が浸入した場合にも、互いに押圧された当接ヒレ部２５の先端縁部と上部側壁部分１１１との間を通過して下方に至る恐れがなく、当接ヒレ部２５の上面と連結板部２２との間に構成された樋部２６で受け止められる。
【００３３】
ここで、このデッキ部材では、溝１００の開口縁部となる位置にガイドヒレ部１１５が設けてある。このため、デッキ本体１０の上面を伝って溝１００に浸入した水は、ガイドヒレ部１１５の上面によって当接ヒレ部２５の基端部側に案内される。さらに、ガイドヒレ部１１５によって案内された水は、垂下部１１６によって滴下し、ガイドヒレ部１１５の下面に回り込むことが防止されるため、当接ヒレ部２５と上部側壁部分１１１との当接部に直接滴下する事態が生じない。これらの結果、デッキ本体１０の溝１００に浸入した水は、樋部２６で受け止められ、そのままの状態でデッキ本体１０の端部まで移送されて外部に排出されることになり、ネジ部材Ｂを螺合させた底壁部１１に至る恐れがない。これにより、ネジ部材Ｂが貫通した溝１００の底壁部１１を通過して水がデッキ本体１０の下方に漏出する事態を防止することが可能となる。
【００３４】
しかも、このデッキ部材では、当接ヒレ部２５よりも下方となる位置に支持面１１２ａが配置されることになる。従って、経年劣化によって当接ヒレ部２５に撓みが生じた場合にも、支持面１１２ａに当接して支持されることになり、当接ヒレ部２５の先端縁部が下方に撓むような変形を来すことがなく、水密性が損なわれる恐れもないため、長期にわたって水の漏出を確実に防止できるようになる。尚、支持面１１２ａは、水平面からの傾斜角度が当接ヒレ部２５よりも大きいため、当接ヒレ部２５の先端縁部に向かうに従って当接ヒレ部２５の下面に近接することになる。これにより、支持面１１２ａが当接ヒレ部２５に当接する部分は、当接ヒレ部２５の先端縁部に近接した箇所となる。従って、支持面１１２ａが当接ヒレ部２５の下面に当接した場合に当接ヒレ部２５の先端縁部が上部側壁部分１１１から離隔するような事態を招来する恐れはない。
【００３５】
尚、上述した実施の形態では、溝１００の両側にそれぞれ３つの中空部１４を有したデッキ材を例示しているが、中空部の数は必ずしも３つである必要はない。また、支持面１１２ａを構成する側壁部１１０の傾斜側壁部分１１２がほぼ４５°の傾斜角度を有するものを例示しているが、支持面の傾斜角度は必ずしもこれに限定されず、水平面からの傾斜角度が溝カバーの当接ヒレ部よりも大きければその他の角度であっても構わない。さらに、デッキ本体１０及び溝カバー２０として、合成樹脂によって成形した押し出し形材から成るものを例示しているが、本発明はこれに限定されない。例えば、デッキ本体１０及び当接ヒレ部２５を除く溝カバー２０を木製、あるいは合成樹脂に木粉を含有させた合成木材製としても良いし、金属製で構成しても構わない。また、デッキ本体１０及び溝カバー２０を押し出し材によって構成する必要もない。
【符号の説明】
【００３６】
１０  デッキ本体、２０  溝カバー、２１  上面カバー部、２２  連結板部、２３  基板部、２４  係止脚部、２４ｃ  係止突条部分、２５  当接ヒレ部、２６  樋部、１００  溝、１１０  側壁部、１１２  傾斜側壁部分、１１２ａ  支持面、１１４  係止側壁部分、１１４ａ  係止面、１１５  ガイドヒレ部、１１６  垂下部、Ｂ  ネジ部材
【図１】
2015063818.tif 000003
【図２】
2015063818.tif 000004
【図３】
2015063818.tif 000005
【図４】
2015063818.tif 000006